(57)【要約】【課題】  床面と壁面が別々の動きをとって振動を緩和させることができるようにしたパネル部材で構成される免振構法に対して、とくに好適に採用されるものであって、施工時の作業性、経済性に優れ、しかも長期に亘り防水性能を維持することのできる防水シートの固定構造ならびにそれに用いる固定板および固定具を提供する。  【解決手段】  パネル部材で構成される躯体の隅部に、床側フランジ片および壁側フランジ片からなり、このフランジ片の各片に固定具孔が設けられた断面Ｌ字状の固定板が配置され、この固定具孔に固定具が挿通されて固定板が固定されるとともに、固定板の上面には防水シートが敷設されて、固定板と防水シートとの所要部が接合されて防水シートが固定された防水シートの固定構造において、前記床側フランジ片および壁側フランジ片の両方または一方における固定具孔をルーズ孔または長孔とする。  【選択図】  図１
2007063750.tif 000002
【特許請求の範囲】
【請求項１】
パネル部材で構成される躯体の隅部に、床側フランジ片および壁側フランジ片からなり、該フランジ片の各片に固定具孔が設けられた断面Ｌ字状の固定板が配置され、該固定具孔に固定具が挿通されて固定板が固定されるとともに、固定板の上面には防水シートが敷設されて、固定板と防水シートとの所要部が接合されて防水シートが固定された防水シートの固定構造において、前記床側フランジ片および壁側フランジ片の両方または一方における固定具孔がルーズ孔または長孔であることを特徴とする防水シートの固定構造。
【請求項２】
床側フランジ片および壁側フランジ片からなり、該フランジ片の各片に固定具孔が設けられた断面Ｌ字状の防水シート施工用の固定板であって、前記床側フランジ片及び壁側フランジ片の両方または一方における固定具孔が、挿通される固定具に対しルーズ孔または長孔であることを特徴とする防水シート施工用の固定板。
【請求項３】
前記固定板におけるルーズ孔または長孔の周縁が、固定具の頭部を収容可能なように凹陥されたことを特徴とする請求項２に記載の防水シート施工用の固定板。
【請求項４】
請求項１ないし請求項３のいずれかに記載の固定板におけるルーズ孔または長孔に挿通される固定具であって、固定具の頭部が外側フランジおよび内側フランジの２段のフランジからなり、内側フランジは外側フランジよりも外径が小さく、かつ前記固定板より厚さが大きく設定され、該内側フランジが前記ルーズ孔または長孔を挿通するとともに、前記外側フランジが前記ルーズ孔または長孔の周縁を覆うことを特徴とする防水シート施工用の固定具。
【発明の詳細な説明】
【技術分野】
【０００１】
この発明は、建造物におけるパネル部材で構成される躯体の隅部を絶縁工法によって防水シートを敷設するに際してなされる防水シートの固定構造ならびにそれに用いる固定板および固定具に関し、さらに詳しくは、床面と壁面が別々の動きをとって振動を緩和させることができるようにした免振構法に対してとくに好適に採用される防水シートの固定構造ならびにそれに用いる固定板および固定具に関する。
【背景技術】
【０００２】
免振性を有した建築物を構築する構法として、挿入筋構法、スライド構法、ロッキング構法などといった免振構法（特許文献１）が知られている。これら免振構法が採用された構造は、地震などによって建築物が振動した場合でも、床面と壁面とが独立した動きをとることで、建築物の振動を緩和させることができるようになっている。
【０００３】
ところで、一般に、建築物におけるコンクリート躯体の隅部を絶縁工法によって防水シートを敷設するに際しては、隅部に金属材からなる断面Ｌ字状の固定板を配設して、その床側および壁側のフランジ片をビスなどの固定具によってそれぞれに固定し、さらに、その上から合成樹脂からなる防水シートを敷設して、防水シートと固定板との重なり部、および防水シートの側縁どうしを接合する方法がとられている。
【０００４】
しかし、上記、床面と壁面が別々の動きをとる免振構法を採用する建築物の隅部に対して、この方法をとると、建築物の振動による変位によって、固定具によって固定されていた固定板が外れ、あるいは固定板自体が捻じれて変形するなどの問題がある。そのような固定板の外れや変形は、表面に接合された防水シートを破断させ、漏水を招くこととなる。
【０００５】
この問題に対しては、上記断面Ｌ字状の固定板における固定箇所を床側フランジ片、あるいは壁側フランジ片の一方だけとした固定構造が考えられる。しかし、この固定構造では、固定されていない側のフランジ片が強度不足となり、例えば防水シートが負圧を受け浮き上がった際や、または経年により防水シートが収縮した際など、固定されていない側のフランジ片に強い引張応力がかかった場合には、固定板が固定具の固定部位を支点として折れ曲がるなど、変形を来す問題が生じる。
【０００６】
そこで、この問題を解決するための構造として、隅部を形成する隣接躯体の一方の躯体に固定される断面Ｌ字状の貼着部材と、他方の躯体に固定される断面略Ｚ型の貼着押え部材の両部材を用意し、その貼着部材の自由端縁を貼着押え部材の自由端縁によって覆い隠し、かつ押えた状態にして固定させるようにした防水シートの固定構造（特許文献２）が知られている。
【特許文献１】特開平０８−３１２０４１（従来の技術）
【特許文献２】特開平１０−２３８０２８
【発明の開示】
【発明が解決しようとする課題】
【０００７】
しかしながら、この防水シートの固定構造によれば、断面Ｌ型の貼着部材と断面Ｚ型の貼着押え部材の２種類の部材を準備する必要があるため、材料費が従来のＬ型の固定板単独の場合に比べ余分にかかり、また固定作業における作業工数も多くなり、作業性、経済性に劣るという問題があった。
【０００８】
また、この構造を得るためには、断面Ｌ字型の貼着部材を躯体に固定した後に、断面略Ｚ型の押え部材を固定することとなり、その貼着押え部材の固定には、位置決めを精度よくすることが求められ、それを行うには技能と熟練が要求されるものであった。また、他方向から傾斜が交わるような複雑な形状の水勾配が設けられた床面を施工する場合などでは、熟練者であっても、貼着押え部材の位置決め作業が困難になることがあり、押え部材がずれた状態で固定されることもあった。
【０００９】
さらに、この固定構造においては、断面Ｌ型の固定板と断面Ｚ型の押え部材とが自由端縁どうしで重なった態様で構成されるため、その部分に接合された防水シートは、その自由端縁の重なり部の凸部によって常に突き上げられた状態となり、長期に亘った場合には、その突き上げられた部分で傷つけられる恐れもあった。
【００１０】
この発明は、このような問題に対して、床面と壁面が別々の動きをとって振動を緩和させることができるようにしたパネル部材で構成される免振構法に対して、とくに好適に採用される防水シートの固定構造ならびにそれに用いる固定板および固定具であって、施工時の作業性、経済性に優れ、しかも長期に亘り防水性能を維持することのできる防水シートの固定構造ならびにそれに用いる固定板および固定具を提供することにある。
【課題を解決するための手段】
【００１１】
すなわち、この発明の請求項１にかかる防水シートの固定構造は、パネル部材で構成される躯体の隅部に、床側フランジ片および壁側フランジ片からなり、該フランジ片の各片に固定具孔が設けられた断面Ｌ字状の固定板が配置され、該固定具孔に固定具が挿通されて固定板が固定されるとともに、固定板の上面には防水シートが敷設されて、固定板と防水シートとの所要部が接合されて防水シートが固定された防水シートの固定構造において、前記床側フランジ片および壁側フランジ片の両方または一方における固定具孔がルーズ孔または長孔であることを特徴とする防水シートの固定構造である。
【００１２】
また、本発明の請求項２にかかる固定板は、床側フランジ片および壁側フランジ片からなり、該フランジ片の各片に固定具孔が設けられた断面Ｌ字状の固定板であって、前記床側フランジ片及び壁側フランジ片の両方または一方における固定具孔が、挿通される固定具に対しルーズ孔または長穴である固定板である。
【００１３】
本発明の請求項３にかかる固定板は、ルーズ孔または長孔の周縁が、固定具の頭部を収容可能なように凹陥された請求項２に記載の固定板である。
【００１４】
また、本発明の請求項４にかかる固定具としては、本発明の請求項１ないし請求項３のいずれかに記載の固定板におけるルーズ孔または長孔に挿通される固定具であって、内側フランジが外側フランジよりも外径が小さく、かつ前記固定板より厚さが大きく設定され、該内側フランジが前記ルーズ孔または長孔を挿通するとともに、前記外側フランジが前記ルーズ孔または長孔の周縁を覆うようにした固定具である。
【発明の効果】
【００１５】
本発明の請求項１にかかる固定構造は、床側フランジ片および壁側フランジ片の両方または一方における固定具孔がルーズ孔または長孔であるため、免振構法が採用された構造など、床と壁が独立して動くような構造の場合でも、変位を受けたとき、固定板がルーズ孔または長孔によって床面または壁面上を遊動することができ、それにより固定板の捻じれや変形が抑制され、したがって、そこに接合された防水シートは防水性能を維持することができるといった効果がある。
【００１６】
本発明の請求項２にかかる固定板は、断面Ｌ字状の固定板のみで構成されるため、材料費が低く抑えられ、経済性に優れるとともに、施工作業が容易であるという効果がある。また、固定板のみを床面に合わせて配置すればよいため、他方向から傾斜が交わるような複雑な形状の水勾配が設けられた床面に対しても固定作業が容易となる。さらに、この固定板は、床側および壁側の各フランジ面が平坦状に形成されているため、そこに接合された防水シートも平坦状となり、傷が発生しにくく、したがって、その防水シートの固定構造においては耐久性に優れたものとなる。外観にも優れたものとなる。
【００１７】
さらに、本発明の請求項３にかかる固定板は、上記請求項２にかかる固定板において、とくにルーズ孔または長孔の周縁が凹陥されたため、そこに挿通される固定具の頭部をその周縁内に収容でき、それにより固定具の頭部が固定板の上面に接合された防水シートを突き上げることを防止することができる。
【００１８】
本発明の請求項４にかかる固定具は、固定板より厚さが大きく設定された内側フランジがルーズ孔または長孔を挿通するとともに、外側フランジがルーズ孔または長孔の周縁を覆うものであるため、固定具を締着した場合にも、すなわち、現場で締め付け力を加減することをせずに締着した場合にも、固定板が遊動可能な空隙を確実に確保することができる。
【発明を実施するための最良の形態】
【００１９】
つぎに、本発明の実施形態を図面にしたがって説明する。
【００２０】
図１は、本発明にかかる防水シートの固定構造を示す断面図である。図２は、本発明にかかる固定板を示す斜視図である。
【００２１】
まず、本発明において適用される固定板の一例としては、図２に示すように、鋼板を基材としてその表面または両面に合成樹脂が被覆され、床側フランジ片１ａと壁側フランジ片１ｂとから構成された断面Ｌ字状のアングルからなり、各フランジ片の側縁には固定具を挿通するための長孔２ａ、真円孔２ｃがそれぞれに長手方向に向けて複数設けられたものである。
【００２２】
この壁側フランジ片１ｂに設けられた真円孔２ｃは、そこに挿通される固定具３の軸部に対してほとんど遊びがない形状であり、一方、床側フランジ片１ａに設けられた長孔２ａは、そこに挿通される固定具３の軸部に対して長手方向に遊びのある形状である。
【００２３】
この長孔２ａに固定具３が挿入され、固定された状態を図３の断面図および上面図に示している。同図に示すように、長孔２ａの形状は、その幅Ｗが固定具３の軸部３ｂの外径よりわずかに大きく、かつ頭部３ａの外径より小さいものとされる一方、長さＬは幅Ｗより長い長さをもった形状である。なお、同図においては長孔の形状を略長方形としたが、長孔を形成するものであれば、例えば楕円形であってもよい。また、長さＬは、一義的に設定されるものではなく、採用される免振構法の設計に合わせて設定されるものである。例えば、頭部の外径がφ９ｍｍ、軸部の外径がφ４．５ｍｍの固定具を使用した場合で、振動の変位を３ｍｍで許容したいときには、長孔２ａの幅Ｗを５〜６ｍｍとして、長さＬを８ｍｍ以上に設定することができる。
【００２４】
なお、長孔２ａおよび真円孔２ｃなどの固定具孔の周縁においては、固定板１の断面からみて、固定具３の頭部３ａが収容できて、その頭部３ａを上方に突出しないように凹陥された形状、例えばカウンター形状にすることが好ましい。こうすることで、防水シートへの突き上げをなくすことができる。
【００２５】
本発明にかかるパネル部材５ａ、５ｂとは、広く一般的に、建築材料からなる壁や床などに使用されるパネル状部材を指し、その材質は、例えばコンクリート系、窯業系、木質系、磁器系、陶器系、金属系など制限はなく、その用途も内装用、外装用を問わない。
【００２６】
つぎに、本発明にかかる防水シートの固定構造について説明する。
【００２７】
本発明にかかる防水シートの固定構造は、例えば、図２で示した固定板１が、図１に示すように、パネル部材５ａ、５ｂで構成される躯体の隅部に配置され、固定板１の壁側フランジ片１ｂに設けられた真円孔２ｃおよび床側フランジ片１ａに設けられた長孔２ａのそれぞれに固定具３が挿通され、躯体上に固定され、さらに上面に防水シート４が敷設されて、固定板１と防水シート４どうしの所要部が接合されることによってなされるものである。
【００２８】
固定具３は、通常、絶縁工法としてパネル部材を固定するために用いられる皿ネジタイプのものが代表的なものとしてあげられるが、その選定に制限はなく、例えば平ネジ、丸ネジタイプのものであってもよく、また、打ち込みタイプの棒状の釘であってもよい。ただし、上述の通り、防水シートを突き上げて、傷つけないという観点からは、皿ネジであるのが好ましい。その材質は、強度の面から金属製であるのが好ましいが、それに制限されることなく、例えば木製、合成樹脂製のものであってもよい。
【００２９】
また、長孔２ａに挿通される固定具３は、容易にパネル部材５ａが抜け出さないこと、固定後に固定板１が遊動可能なことを満たすものである。
【００３０】
固定具３の固定方法については、固定板１の真円孔２ｃに対しては固定具の軸部３ｂが挿通され、遊びのない態様で締結されるのに対し、長孔２ａに対しては固定板１が遊動可能なように、ねじ込み深さ、あるいは打ち込み深さが調整され、遊びを設けて、固定がなされる。
【００３１】
なお、本発明において、固定板を確実かつ簡易に遊動可能な状態で固定するためには、図４ないし図６に示すように、頭部２３ａが外側フランジ２３ｃおよび内側フランジ２３ｄの２段のフランジからなり、内側フランジ２３ｄは外側フランジ２３ｃよりも外径が小さく、かつ前記固定板２１、３１より厚さが大きく設定され、内側フランジ２３ｄが前記ルーズ孔２ｂまたは長孔２ａを挿通するとともに、外側フランジ２３ｃが前記ルーズ孔２ｂまたは長孔２ａの周縁を覆う固定具２３が採用されるのが好ましい。
【００３２】
このような固定具２３が採用されることで、図４および図５に示すように、固定具２３をパネル部材５ａに締着した場合に、固定具２３の締め付け強度を現場で加減することなくとも、内側フランジ２３ｄが外側フランジ２３ｃとパネル部材５ａとの間に介在されることによって、固定板２１、３１が遊動可能な空隙を確実に確保することができる。
【００３３】
また、図５における固定板３１では、ルーズ孔２ｂまたは長孔２ａの周縁が固定具２３の頭部２３ａを収容可能なように凹陥状に形成されており、固定具２３の固定後に、頭部２３ａが固定板３１の上面に接合された防水シートより上方に突き上げることが防止されることができる。
【００３４】
防水シート４については、従来の絶縁工法に常用されているものであれば、どのような材質のものでもよく、例えば軟質塩化ビニル樹脂製シート単層からなるものの他、ポリエステル繊維製などのネットが間に介装された補強された軟質塩化ビニル樹脂製シートが好適に採用される。そのシート厚さについては、１．５〜３．０ｍｍの範囲のものが好適に採用される。
【００３５】
固定板１と防水シート４との接合方法については、絶縁工法で一般的に採用されている溶剤溶着や熱融着による接合方法が適用される。なお、当然ながら、壁側のパネル部材５ｂと、床側のパネル部材５ａの両側に沿って、それぞれに防水シート４が敷設され、それらの防水シート４が固定板１に接合されるとともに、防水シート４、４どうしが重なり合わされ、その重なり部で接合された構造としてもよい。
【００３６】
以上のように、この防水シートの固定構造によれば、床側のフランジ片１ａの側縁に長孔２ａが形成されたため、免振構法が採用され、例えば床側のパネル部材５ａが水平方向に振動し、変位を発生する構造であっても、固定板１は、図３（ａ）に示す固定位置から、同図（ｂ）に示す固定位置に遊動することにより、変形や捻じれを防ぐことができ、防水シート４の破損を防止することができる。
【００３７】
つぎに、本発明にかかる固定具孔にルーズ孔が採用された固定構造および固定板を例示する。
【００３８】
本発明においては、上述した長孔２ａの替わりに、同じ遊動作用をするものとして、ルーズ孔２ｂが採用されることができる。
【００３９】
図７には、図２に示した固定板の床側フランジ片１ａにおける長孔２ａに替えて、ルーズ孔２ｂを採用した固定板１１を例示している。
【００４０】
ルーズ孔２ｂは、長孔２ａに比べ、幅方向にも、固定具１３の軸部１３ｂに対する遊びを設けたもので、真円、楕円などの形状が採用される。ルーズ孔２ｂの大きさとしては、図８（ａ）（ｂ）に示すように、固定具１３の軸部１３ｂの外径より大きく、かつ頭部１３ａの外径より小さいものである。また、このとき使用される固定具１３は、頭部１３ａが固定板１１を十分に押え止めることのできるほどに大きいものである必要がある。      
【００４１】
例えば、パネル部材５ａが、図８（ａ）に示す状態から（ｂ）に示す状態に移動することによって、その変位を１０ｍｍまで許容しようとする場合には、採用される固定具１３を頭部１３ａの外径がφ２０ｍｍ、軸部１３ｂの外径がφ４．５ｍｍのものとすれば、固定板１１をルーズ孔２ｂがφ１５ｍｍほどのものとすることができる。このように、ルーズ孔２ｂの大きさと固定具１３の頭部１３ａの外径を変化させることで、免振構法などで設計される変位に柔軟に対応できる防水シートの固定構造を得ることができる。
【実施例】
【００４２】
つぎに、実施例について説明する。
【００４３】
＜実施例１＞
まず、固定板を作製するに当たり、芯材を０．６ｍｍの鋼板とし、表面層に０．５ｍｍ厚さのポリ塩化ビニル系樹脂層が被覆され、裏面層に０．１ｍｍのポリ塩化ビニル系樹脂層が被覆されたポリ塩化ビニル樹脂被覆鋼板を原板として準備した。この原板に対しては、折曲加工、裁断加工を施して、長さが２ｍ、壁側フランジ片の幅が４０ｍｍ、床側フランジ片の幅が１５０ｍｍの断面Ｌ字状のアングル形状とした。
【００４４】
つぎに、このアングルの床側フランジ片に対し、長手方向に端部から２０ｍｍ隔てた位置を基点として３２５ｍｍ刻みで７箇所に対し、口径がφ６ｍｍの真円孔を穿孔した。次いで、壁側フランジ片に対し、長手方向の前記真円孔に相当する位置に、幅６ｍｍ、長さ１２ｍｍの長孔を、前記真円孔と同様に、その対応する位置に７箇所穿孔し、これを固定板とした。
【００４５】
つぎに、免振構法が採用された床と壁がそれぞれに独立して回転動作をすることのできるパネル部材からなるモデル建造物を準備し、その隅部にこの固定板を配置し、頭部の外径がφ９ｍｍ、軸部の外径がφ４．５ｍｍのビスからなる固定具を用いて、それぞれの固定具孔に挿通し、固定した。このとき、真円孔については、遊びのない状態で締着状態に固定するとともに、長孔に対しては、略中間位置に遊びのある遊動可能な状態に固定した。
【００４６】
さらに、この上からは、ポリ塩化ビニル樹脂系防水シートを敷設し、固定板と防水シートとの重ね合わせ部、および防水シートどうしの重ね合わせ部と溶剤溶着により接合し、これを防水シートの固定構造とした。
【００４７】
つぎに、この得られた防水シートの固定構造に対し、モデル建造物における床面を固定した状態で、壁面のみを床側のパネル部材の端面と平行状態を保ったままで、０°（初期段階）から段階的に０．５°、１°まで回転させた。そのときの固定板と、そこに接合された防水シートの状態を観察したところ、０°〜１°までのいずれの角度においても、固定板、防水シートとも変形や破れは見られず、防水機能は十分に確保されていた。
【００４８】
＜実施例２＞
実施例１に示したアングルを用い、今度は床側フランジ片の端部から長手方向に向い、２０ｍｍ隔てた位置を基点として３２５ｍｍ刻みで７箇所に対し、口径がφ６ｍｍの真円孔を穿孔した一方、壁側フランジ片に対しては口径がφ１５ｍｍのルーズ孔を前記真円孔と対応する位置に７箇所穿孔し、これを固定板とした。
【００４９】
つぎに、実施例１に示した免振構法が採用されたモデル建造物の隅部にこの固定板を配置し、床側フランジ片の真円孔に対しては、頭部の外径がφ９ｍｍ、軸部の外径がφ４．５ｍｍのビスからなる固定具を用いて固定し、床側フランジ片のルーズ孔に対しては、頭部の外径がφ２０ｍｍ、軸部の外径がφ４．５ｍｍのビスからなる固定具を用いて固定した。なお、このとき、真円孔については、遊びのない状態で締着状態に固定するとともに、ルーズ孔に対しては、略中間位置に、遊びのある遊動可能な状態に固定した。
【００５０】
さらに、この上からは、ポリ塩化ビニル樹脂系防水シートを敷設し、固定板と防水シートとの重ね合わせ部、および防水シートどうしの重ね合わせ部と溶剤溶着により接合し、これを防水シートの固定構造とした。
【００５１】
つぎに、この防水シートの固定構造に対し、実施例１と同様に、モデル建造物における床面を固定した状態で壁面のみを０°（初期段階）から段階的に０．５°、１°まで回転させた。そのときの固定板と、そこに接合された防水シートの状態を観察したところ、０°〜１°までのいずれの角度においても、固定板、防水シートとも変形や破れは見られず、防水機能は十分に確保されていた。
【００５２】
＜比較例１＞
実施例１に示したアングルを用い、床側フランジ片および壁側フランジ片の端部に、長手方向に、端部から２０ｍｍ隔てた位置を基点として３２５ｍｍ刻みで７箇所に対し、口径がφ６ｍｍの真円孔を穿孔し、これを固定板とした。
【００５３】
つぎに、実施例１に示した免振構法が採用されたモデル建造物に対し、その隅部にこの固定板を配置し、床側フランジ片および壁側フランジ片における真円孔に対して、頭部の外径がφ９ｍｍ、軸部の外径がφ４．５ｍｍのビスからなる固定具を用いて固定した。このとき、これら真円孔については、遊びのない状態で締着状態に固定した。
【００５４】
さらに、この上からは、ポリ塩化ビニル樹脂系防水シートを敷設し、固定板と防水シートとの重ね合わせ部、および防水シートどうしの重ね合わせ部と溶剤溶着により接合し、これを防水シートの固定構造とした。
【００５５】
つぎに、この防水シートの固定構造に対し、実施例１と同様に、モデル建造物における床面を固定した状態で壁面のみを０°（初期段階）から段階的に０．５°、１°まで回転させた。そのときの固定板と、そこに接合された防水シートの状態を観察したところ、０．５°のときには固定具が僅かに変形をしているものの防水機能は保たれた状態であったが、１°のときには固定板に捻じれが発生しており、防水シートの一部が破断された状態であった。
【００５６】
上記からもわかるように、実施例における本発明にかかる防水シートの固定構造においては、床と壁が独立して動いた場合でも、固定板が床面または壁面に対して遊動することができ、それにより固定板の捻じれや変形が抑制され、そこに接合された防水シートは防水性能を維持することができるものであった。それに対し、比較例における本発明を逸脱する防水シートの固定構造においては、床と壁が独立して動いた場合に固定板が変形し、防水機構を確保することができないものであった。
【図面の簡単な説明】
【００５７】
【図１】本発明にかかる防水シートの固定構造を示す断面図である。
【図２】本発明にかかる長孔が採用された防水シート施工用の固定板を示す斜視図である。
【図３】本発明にかかる防水シート施工用の固定板における長孔の形状を説明するための上面図および断面図である。
【図４】本発明にかかる防水シート施工用の固定具が、固定板のルーズ孔または長孔に挿通された状態を示す断面図である。
【図５】本発明にかかる防水シート施工用の固定具が、別の固定板におけるルーズ孔または長孔に挿通された状態を示す断面図である。
【図６】本発明にかかる防水シート施工用の固定具を示す斜視図である。
【図７】本発明にかかるルーズ孔が採用された防水シート施工用の固定板を示す斜視図である。
【図８】本発明にかかる防水シート施工用の固定板におけるルーズ孔の形状を説明するための断面図である。
【符号の説明】
【００５８】
１、１１、２１、３１  固定板
１ａ  床側フランジ片
１ａ  壁側フランジ片
２ａ  長孔
２ｂ  ルーズ孔
２ｃ  真円状孔
３、１３、２３  固定具
３ａ、１３ａ、２３ａ  頭部
３ｂ、１３ｂ、２３ｂ  軸部
２３ｃ  外側フランジ
２３ｄ  内側フランジ
４  防水シート
５ａ、５ｂ  パネル部材
【図１】
2007063750.tif 000003
【図２】
2007063750.tif 000004
【図３】
2007063750.tif 000005
【図４】
2007063750.tif 000006
【図５】
2007063750.tif 000007
【図６】
2007063750.tif 000008
【図７】
2007063750.tif 000009
【図８】
2007063750.tif 000010